(57)【要約】【課題】  平面型表示装置を壁面の任意の位置に取り付け、および、移動可能な自由度の高い取り付け装置を提供する。【解決手段】  レールを壁面に懸架し、平面型表示装置の背面に固着した取り付け金具により平面型表示装置を前記レールに取り付けることでレール上を自由に移動可能とする。また、取り付け金具に回動機能を付与することにより、レールを垂直、水平、および斜め方向に設置しても、平面型表示装置が垂直、水平、および斜め方向に移動設置可能とする。【選択図】  図１
2005173425.tif 000002
【特許請求の範囲】
【請求項１】
平面型表示装置を壁面に取り付ける平面型表示装置の取り付け装置において、レールを壁面に懸架し、前記平面型表示装置の背面に固着した取り付け金具を介し、前記平面型表示装置を前記レールに取り付けることを特徴とする平面型表示装置の取り付け装置。
【請求項２】
請求項１記載の平面型表示装置の取り付け装置において、前記レールに摺動自在に嵌合される構造を有することを特徴とする平面型表示装置の取り付け装置。
【請求項３】
請求項１記載の平面型表示装置の取り付け装置において、前記取り付け金具を下二分割構造として平面型表示装置側を軸まわりに回動可能に連結することを特徴とする平面型表示装置の取り付け装置。
【請求項４】
請求項１記載の平面型表示装置の取り付け装置において、前記平面型表示装置の背面に固着した取り付け金具と、壁面に懸架され、穿孔されたレールとを位置決めピンにより、固定することを特徴とする平面型表示装置の取り付け装置。
【請求項５】
請求項１記載の平面型表示装置の取り付け装置において、前記レールは中空状で、且つ、レールの軸方向に沿ってケーブル挿入用スリットを有することを特徴とする平面型表示装置の取り付け装置。
【発明の詳細な説明】
【技術分野】
【０００１】
本発明は、液晶パネル、プラズマディスプレイパネル（ＰＤＰ），エレクトロルミネッセント（ＥＬ）パネル等で構成される平面型表示装置を壁面上で自由に移動可能とする平面型表示装置の取り付け装置に関する。
【背景技術】
【０００２】
液晶パネルやプラズマディスプレイパネル等で構成される平面型表示装置を壁面に取り付け時、平面型表示装置の背面に取り付け金具を固着し、特許文献１に見られるごとく取り付け金具を壁面内部の間柱等にネジ止めするのが一般的である。また、移動可能な取り付け装置も存在するが、特許文献２に見られるごとく垂直方向、もしくは水平方向のいずれかに限定される。
【０００３】
【特許文献１】特開平７-２１２６８１：平面ディスプレイの据付装置
【特許文献２】特開平１１-３０４３：平面ディスプレイ取付装置
【発明の開示】
【発明が解決しようとする課題】
【０００４】
従来の平面型表示装置の取り付け装置では、一旦、平面型表示装置を取り付け後は、取り付け位置の変更は容易ではない。このような状況に鑑みて、平面型表示装置を任意の位置に設置可能な自由度の高い取り付け装置を提供する。
【課題を解決するための手段】
【０００５】
レールを壁面に懸架し、平面型表示装置の背面に固着した取り付け金具により平面型表示装置を前記レールに取り付けることでレール上を自由に移動可能とする。また、取り付け金具に回動機能を付与することにより、レールを垂直、水平、および斜め方向に設置しても、平面型表示装置が垂直、水平、および斜め方向に移動設置可能となり、設置に関する自由度が高くなる。平面型表示装置の背面に固着した取り付け金具のガイド孔、および、レールに配設された穿孔を位置決めピンにて貫通係止し、平面型表示装置を固定する。
【０００６】
レール内部の中空部分に、電源コード、アンテナ給電線、音声／映像ケーブルなどの平面型表示装置を動作させるに必要なケーブルを挿入し、レールの軸方向に沿ってスリットを設ける。レール上の任意の位置に設置された平面型表示装置の直近のレールスリットの位置からレール内部の中空部分に挿入された上記ケーブルを引き出し、上記平面型表示装置と接続する。
【発明の効果】
【０００７】
レールを壁面に懸架し、平面型表示装置の背面に固着した取り付け金具を前記レールに貫通させることにより、平面型表示装置はレール上を自由に移動可能で、適宜見やすい位置に平面型表示装置を設置することが可能となる。取り付け金具に回動機能を付与することにより、レールを垂直、水平、および斜め方向に移動可能に設置することができ、平面型表示装置の設置に関する自由度が高くなる。レール内部の中空部分をケーブルの通路とすることにより、視聴環境と安全性の維持を図ることが可能となる
【発明を実施するための最良の形態】
【０００８】
図１は、本発明による平面型表示装置の取り付け装置の取り付け金具３の詳細を示す実施例の斜視図である。取り付け金具３は、金具３ａ、および、ガイド３ｂにより構成される。取り付け金具３は平面型表示装置１の背面に取り付けられ、レール２は、取り付け金具３のガイド３ｂに穿孔されたガイド摺動孔３ｄを貫通する。ガイド３ｂはレール２上を摺動し、平面型表示装置１を図２の矢印Ａに示すごとく水平方向の任意の位置に移動させることが可能である。
【０００９】
図２（ａ）は、取り付け金具３とレール２との嵌着部分を示す。壁面に懸架されているレール２は、複数のレール孔２ａを有する。ガイド３ｂにもガイド固定孔３ｃが穿孔されており、レール２上のレール孔２ａとレール２上を摺動するガイド３ｂのガイド固定孔３ｃの位置をあわせ、位置決めピン４を貫通係止させ、平面型表示装置を固定する。
【００１０】
ガイド３ｂは、図２（ａ）に示すごとく、ガイド３ｂの取り付け軸を軸として回動可能な構造を有し、壁面に懸架するレール２は、水平方向に限定せず、図４（ｂ）に示すごとく垂直方向にも設置することが可能で、平面型表示装置１の懸架姿勢を保持しながら図４（ｂ）の矢印Ｂに示すごとく垂直方向に移動可能な懸架装置を実現する。
【００１１】
図２（ｂ）は、取り付け金具３に一個のガイド３ｂを有する実施例であり、ガイド３ｂが取り付け軸を軸として回動可能な構造を有することは、前記の実施例と同様である。取り付け金具３に固着される平面型表示装置１がガイド３の取り付け軸を軸として不用意に回動することを防止するために、ガイド３ｂは、図２（ｃ）に示すごとくガイド固定ネジ５を有する。
【００１２】
図３（ａ）は、レール２内部の中空部分に、電源コード、アンテナ給電線、音声／映像ケーブルなどの平面型表示装置を動作させるに必要なケーブル７を挿入し、レール２の軸方向に沿って設けられたレールスリット６の任意の位置から引き出すことが可能で、平面型表示装置１と接続することができる。レール２内部の中空部分をケーブル７の通路とすることにより、視聴環境と安全性の維持を図ることが可能となる。尚、平面型表示装置に置き換えてＣＲＴディスプレイや種々の音響装置（スピーカー装置やスピーカーボックス等）を取り付けてもよい。
【産業上の利用可能性】
【００１３】
本発明による取り付け装置は、液晶パネルやプラズマディスプレイパネルやＥＬパネル等からなる平面型表示装置に主として用いられるが、その他、ＣＲＴディスプレイや種々の音響装置等を壁面に自由に移動できるように取り付ける場合にも応用可能である。
【図面の簡単な説明】
【００１４】
【図１】本発明による平面型表示装置の取り付け装置の取り付け金具の詳細を示す実施例の斜視図である。
【図２】ガイドの回動機構の実施例を示し、（a）図は取り付け金具が４個のガイドを、（ｂ）図は１個のガイドを有する斜視図、（ｃ）図は１個のガイド実施例における回動部分の固定構造を示す。
【図３】（ａ）図はレール内部の中空部に収容されたケーブルと平面型表示装置との接続状態を示す斜視図で（ｂ）図は拡大図である。
【図４】平面型表示装置の取り付け装置設置の実施例を示し、（a）は水平、（ｂ）は垂直、（ｃ）は斜め方向に平面型表示装置が移動可能である状態を示す斜視図である。
【符号の説明】
【００１５】
１：平面型表示装置
２：レール
２ａ：レール孔
３：取り付け金具
３ａ：金具
３ｂ：ガイド
３ｃ：ガイド固定孔
３ｄ：ガイド摺動孔
４：位置決めピン
５：ガイド固定ネジ
６：レールスリット
７：ケーブル
【図１】
2005173425.tif 000003
【図２】
2005173425.tif 000004
【図３】
2005173425.tif 000005
【図４】
2005173425.tif 000006